(57)【要約】  光受信器への環境光の伝送をブロック又は最小化するよう構成された１つ又は複数の遮光体を有する、煙検出器及び煙警報器を提供する。このような機能性を促進するための遮光体の構成も提供する。１つ又は複数の遮光体は、煙検出器の光源がそれだけを放出するように構成され得る特定の光範囲、及び／又は光受信器がそれだけを光電流に変換するよう構成され得る光範囲内の光の大半を減衰させる材料を含む。場合によっては、１つ又は複数の遮光体は、煙検出器の内部チャンバの外部に配設された光源及び／又は光受信器を取り囲む。場合によっては、１つ又は複数の遮光体は、煙検出器の外部ハウジングの接続側に少なくとも部分的に広がってよい。あるいは遮光体は、内部チャンバとハウジングの接続側との間の空間に配設してよい。【選択図】図２
2019508823.tif 000002
【特許請求の範囲】
【請求項１】
煙検出器であって、
前記煙検出器は：
内部チャンバ；
前記煙検出器内に配設された、前記内部チャンバ内へと光を放出するための光源；
前記煙検出器内に配設された、前記光源からの直接及び／又は間接光を受信するための電気光学式光受信器であって、前記光源及び前記電気光学式光受信器のうちの少なくとも一方は、前記内部チャンバの外部に配設され、前記電気光学式光受信器は、ある特定の光範囲のみを光電流に変換するよう構成され、並びに／又は前記光源は、前記特定の光範囲の光のみを放出するよう構成される、電気光学式光受信器；
前記内部チャンバ、前記光源及び前記電気光学式光受信器を内包する外部ハウジング；並びに
前記内部チャンバの外部に配設された前記光源又は前記電気光学式光受信器を少なくとも部分的に取り囲む、前記外部ハウジングとは別個の遮光体であって、前記遮光体は、前記特定の光範囲内の光の大半を減衰させる材料を含む、遮光体
を備える、煙検出器。
【請求項２】
前記遮光体は前記外部ハウジングの外部に配設される、請求項１に記載の煙検出器。
【請求項３】
前記遮光体は、前記煙検出器内の、前記内部チャンバと前記外部ハウジングの接続側との間の空間を取り囲む、請求項２に記載の煙検出器。
【請求項４】
前記遮光体は更に、前記外部ハウジングの前記接続側の少なくとも一部分に広がる、請求項３に記載の煙検出器。
【請求項５】
前記外部ハウジングの前記接続側は、前記電気光学式光受信器と電気的に連通した電気コネクタを備え、
前記遮光体は開口を備え、前記電気コネクタは前記開口を通って延在する、請求項４に記載の煙検出器。
【請求項６】
前記遮光体は、前記外部ハウジングの前記接続側の周縁部とベースプレートとの間の溝内に配設される、請求項２に記載の煙検出器。
【請求項７】
前記遮光体は前記外部ハウジング内に配設される、請求項１に記載の煙検出器。
【請求項８】
前記光源又は前記電気光学式光受信器は、前記内部チャンバと前記外部ハウジングの前記接続側との間の、前記外部ハウジングによって境界を画定された空間内に配設され、
前記遮光体は、前記空間の大部分を取り囲む、請求項７に記載の煙検出器。
【請求項９】
前記光源又は前記電気光学式光受信器は、前記内部チャンバと前記外部ハウジングの前記接続側との間の、前記外部ハウジングによって境界を画定された空間内に配設され、
前記遮光体は、前記空間のわずかな部分を取り囲む、請求項７に記載の煙検出器。
【請求項１０】
前記光源は赤外光を放出するよう構成され、
特定のスペクトルは、およそ７００ｎｍ〜およそ１ｍｍの光スペクトルの少なくとも一部分を含む、請求項１に記載の煙検出器。
【請求項１１】
前記光源は紫外光を放出するよう構成され、
前記特定のスペクトルは、およそ１０ｎｍ〜およそ４００ｎｍの光スペクトルの少なくとも一部分を含む、請求項１に記載の煙検出器。
【請求項１２】
前記光源は可視光を放出するよう構成され、
前記特定のスペクトルは、およそ３９０ｎｍ〜およそ７００ｎｍの光スペクトルの少なくとも一部分を含む、請求項１に記載の煙検出器。
【請求項１３】
前記外部ハウジングは、前記特定の光範囲の光の大半を通過させる材料を含む、請求項１に記載の煙検出器。
【請求項１４】
前記内部チャンバは、前記特定の光範囲内の光の大半を反射及び／又は吸収するよう構成された外壁を備える、請求項１に記載の煙検出器。
【請求項１５】
前記光源は前記内部チャンバ内に配置され、
前記電気光学式光受信器は前記内部チャンバの外側に配置される、請求項１に記載の煙検出器。
【請求項１６】
前記遮光体はポリプロピレンを含む、請求項１に記載の煙検出器。
【請求項１７】
前記遮光体はポリフェニレンエーテルを含む、請求項１に記載の煙検出器。
【請求項１８】
前記遮光体は黒色ネオプレンゴムを含む、請求項１に記載の煙検出器。
【請求項１９】
煙警報器であって、
前記煙警報器は：
煙検出器であって、前記煙検出器は：
内部チャンバ；
前記煙検出器内に配設された、前記内部チャンバ内へと光を放出するための光源；
前記煙検出器内に配設された、前記光源からの直接及び／又は間接光を受信するための電気光学式光受信器であって、前記電気光学式光受信器は、ある特定の光範囲のみを光電流に変換するよう構成され、並びに／又は前記光源は、前記特定の光範囲の光のみを放出するよう構成される、電気光学式光受信器；
前記内部チャンバ、前記光源及び前記電気光学式光受信器を内包する外部ハウジング；
前記外部ハウジングの接続側の外側表面に沿って配設された電気コネクタであって、前記電気コネクタは、前記電気光学式光受信器と電気的に連通する、電気コネクタ；並びに
前記外部ハウジングの前記接続側に少なくとも部分的に広がる、前記外部ハウジングとは別個の遮光体であって、前記遮光体は、前記特定の光範囲内の光の大半を減衰させる材料を含む、遮光体
を備える、煙検出器と；
前記煙検出器の前記接続側に連結された基部であって、前記基部は、可聴警報器と、前記電気コネクタと電気的に連通する電源とを備える、基部と
を備える、煙警報器。
【請求項２０】
前記遮光体は更に、前記煙検出器内の、前記内部チャンバと前記外部ハウジングの接続側との間の空間を取り囲む、請求項１９に記載の煙警報器。
【請求項２１】
前記遮光体は更に、前記外部ハウジングの前記接続側の周縁部とベースプレートとの間の溝内に配設される、請求項１９に記載の煙警報器。
【請求項２２】
前記遮光体は開口を備え、前記電気コネクタは前記開口を通って延在する、請求項１９に記載の煙警報器。
【請求項２３】
前記光源は赤外光を放出するよう構成され、
特定のスペクトルは、およそ７００ｎｍ〜およそ１ｍｍの光スペクトルの少なくとも一部分を含む、請求項１９に記載の煙警報器。
【請求項２４】
前記光源は紫外光を放出するよう構成され、
前記特定のスペクトルは、およそ１０ｎｍ〜およそ４００ｎｍの光スペクトルの少なくとも一部分を含む、請求項１９に記載の煙警報器。
【請求項２５】
前記光源は可視光を放出するよう構成され、
前記特定のスペクトルは、およそ３９０ｎｍ〜およそ７００ｎｍの光スペクトルの少なくとも一部分を含む、請求項１９に記載の煙警報器。
【請求項２６】
前記外部ハウジングは、前記特定の光範囲の光の大半を通過させる材料を含む、請求項１９に記載の煙警報器。
【請求項２７】
前記内部チャンバは、前記特定の光範囲内の光の大半を反射及び／又は吸収するよう構成された外壁を備える、請求項１９に記載の煙警報器。
【請求項２８】
前記光源は前記内部チャンバ内に配置され、
前記電気光学式光受信器は前記内部チャンバの外側に配置される、請求項１９に記載の煙警報器。
【請求項２９】
前記遮光体はポリプロピレンを含む、請求項１９に記載の煙警報器。
【請求項３０】
前記遮光体はポリフェニレンエーテルを含む、請求項１９に記載の煙警報器。
【請求項３１】
前記遮光体は黒色ネオプレンゴムを含む、請求項１９に記載の煙警報器。
【請求項３２】
煙警報システムであって、
前記煙警報システムは：
警報システム；及び
前記警報システムに連結された複数の煙検出器
を備え、
前記複数の煙検出器のうちの少なくとも１つは：
内部チャンバ；
前記煙検出器内に配設された、前記内部チャンバ内へと光を放出するための光源；
前記煙検出器内に配設された、前記光源からの直接及び／又は間接光を受信するための電気光学式光受信器であって、前記電気光学式光受信器は、ある特定の光範囲のみを光電流に変換するよう構成され、並びに／又は前記光源は、前記特定の光範囲の光のみを放出するよう構成される、電気光学式光受信器；
前記内部チャンバ、前記光源及び前記電気光学式光受信器を内包する外部ハウジング；並びに
前記内部チャンバと前記外部ハウジングの接続側との間の空間に配設された、前記外部ハウジングとは別個の遮光体であって、前記遮光体は、前記特定の光範囲内の光の大半を減衰させる異なる材料を含む、遮光体
を備える、煙警報システム。
【請求項３３】
前記内部チャンバは、前記特定の光範囲内の光の大半を反射及び／又は吸収するよう構成された外壁を備える、請求項３２に記載の煙警報システム。
【請求項３４】
前記遮光体の少なくとも一部分は、前記内部チャンバと前記外部ハウジングの前記接続側との間の空間の大部分を取り囲む、請求項３２に記載の煙警報システム。
【請求項３５】
前記遮光体の少なくとも一部分は、前記内部チャンバと前記外部ハウジングの前記接続側との間の前記空間のわずかな部分を取り囲む、請求項３２に記載の煙警報システム。
【請求項３６】
前記遮光体は、前記空間の大半に広がり、また前記外部ハウジングの前記接続側に対して平行に配設される、請求項３２に記載の煙警報システム。
【請求項３７】
前記光源は赤外光を放出するよう構成され、
特定のスペクトルは、およそ７００ｎｍ〜およそ１ｍｍの光スペクトルの少なくとも一部分を含む、請求項３２に記載の煙警報システム。
【請求項３８】
前記光源は紫外光を放出するよう構成され、
前記特定のスペクトルは、およそ１０ｎｍ〜およそ４００ｎｍの光スペクトルの少なくとも一部分を含む、請求項３２に記載の煙警報システム。
【請求項３９】
前記光源は可視光を放出するよう構成され、
前記特定のスペクトルは、およそ３９０ｎｍ〜およそ７００ｎｍの光スペクトルの少なくとも一部分を含む、請求項３２に記載の煙警報システム。
【請求項４０】
前記光源は前記内部チャンバ内に配置され、
前記電気光学式光受信器は前記内部チャンバの外側に配置される、請求項３２に記載の煙警報システム。
【請求項４１】
前記外部ハウジングは、前記特定の光範囲の光の大半を通過させる材料を含む、請求項３２に記載の煙警報システム。
【請求項４２】
前記遮光体はポリプロピレンを含む、請求項３２に記載の煙警報システム。
【請求項４３】
前記遮光体はポリフェニレンエーテルを含む、請求項３２に記載の煙警報システム。
【請求項４４】
前記遮光体は黒色ネオプレンゴムを含む、請求項３２に記載の煙警報システム。
【請求項４５】
直径およそ２インチ〜およそ１２インチの連続包囲バンド；及び
前記連続包囲バンドに連結され、かつ前記連続包囲バンドの上側又は下側に略センタリングされた、ベースプレート
を備える、煙検出器遮光体。
【請求項４６】
前記連続包囲バンドは円形である、請求項４５に記載の煙検出器遮光体。
【請求項４７】
前記連続包囲バンドは正方形、長方形、三角形又は楕円形である、請求項４５に記載の煙検出器遮光体。
【請求項４８】
前記ベースプレートは、互いから９０°離間している前記連続包囲バンドの複数の部分を露出させるよう配設された、３つのノッチを備える、請求項４５に記載の煙検出器遮光体。
【請求項４９】
前記ノッチは、前記ベースプレートの周縁部から内向きにおよそ１．０インチ未満だけ延在する、請求項４５に記載の煙検出器遮光体。
【請求項５０】
前記ベースプレートは、前記連続包囲バンドによって境界を画定された領域の９０％を被覆する、請求項４５に記載の煙検出器遮光体。
【発明の詳細な説明】
【技術分野】
【０００１】
優先権の主張
本出願は、２０１６年３月４日出願の米国仮特許出願第６２／３０３，５３３号に対する優先権を主張するものである。
【０００２】
本発明は一般に煙検出器及び煙警報器に関し、より詳細には、上記煙検出器及び上記煙警報器のための遮光体に関する。
【背景技術】
【０００３】
以下の説明及び例は、それらがこの節に含まれていることによって、それらが従来技術であると認められるわけではない。
【０００４】
光電式煙検出器は、その環境に煙が存在するかどうかを検出するために、光源及び光受信器を使用する。光受信器が受信した光の量の変化が所定の値を超えると、煙が存在すると決定される。煙検出器が、煙が存在することを決定すると、火災警報が発せられる。スポットタイプ煙検出器と呼ばれる一部の煙検出器は、煙を検出するべき限定された場所のために、光源及び光受信器を検出器内に有する。スポットタイプ煙検出器は一般に、家屋、オフィスビル又は病院内で典型的に見られる部屋といった、サイズが比較的小さい室内で使用される。光源は一般に、赤外光源、紫外光源又は可視光源である。場合によっては、スポットタイプ煙検出器の光受信器は、煙検出器が配設される部屋の照明から遮蔽されていない場合があり、従って、室内の外部光源からの赤外光、紫外光、可視光の比較的大きな変化、又は特に強い強度（１０００ルクス以上のオーダー等）の可視光によって、煙検出器は誤った火災警報を発生させる場合がある。赤外光、紫外光及び／又は可視光のこのような外部光源を構成し得るデバイス及びシステムの例としては、限定するものではないが、殺菌光消毒システム、手術室照明、光療法システム、電子デバイス用リモコンが挙げられる。
【発明の概要】
【発明が解決しようとする課題】
【０００５】
従って、光検出器が配設される部屋の環境内で生成される光から光受信器をブロックするスポットタイプ煙検出器及び遮光体を開発することが、有益である。
【課題を解決するための手段】
【０００６】
装置の様々な実施形態に関する以下の記載は、添付の請求項の主題を限定するものと解釈するべきではない。
【０００７】
煙検出器及び煙警報器の電気光学式光受信器への環境光の伝送をブロック又は最小化するよう構成された遮光体を含む、煙検出器及び煙警報器が提供される。このような機能性を促進するための遮光体の構成も同様に提供される。
【０００８】
煙検出器、及び煙警報機の煙検出器は：内部チャンバ；上記煙検出器内に配設された、上記内部チャンバ内へと光を放出するための光源；並びに上記煙検出器内に配設された、上記光源からの直接及び／又は間接光を受信するための電気光学式光受信器を含む。場合によっては、上記電気光学式光受信器は、ある特定の光範囲のみを光電流に変換するよう構成される。更なる又は代替的な実施形態では、上記光源は、上記特定の光範囲の光のみを放出するよう構成してよい。いずれの場合においても、上記煙検出器は、上記内部チャンバ、上記光源及び上記電気光学式光受信器を内包する外部ハウジングを含む。更に、上記煙検出器は、上記外部ハウジングとは別個の遮光体を含み、上記遮光体は、上記光源がそれだけを放出するように構成され得る上記特定の光範囲、及び／又は上記電気光学式光受信器がそれだけを光電流に変換するよう構成され得る上記光範囲内の光の大半を減衰させる材料を含む。場合によっては、上記光源及び上記電気光学式光受信器のうちの少なくとも一方は、上記内部チャンバの外部に配設され、上記遮光体は、上記内部チャンバの外部に配設された上記光源又は上記電気光学式光受信器を少なくとも部分的に取り囲む。更なる又は代替的な実施形態では、上記遮光体は、上記外部ハウジングの接続側に少なくとも部分的に広がっていてよい。更に他の場合においては、上記遮光体は、上記外部ハウジングの内部の、上記内部チャンバと上記外部ハウジングの接続側との間の空間に配設してよい。
【０００９】
煙検出器遮光体のある実施形態は、直径およそ２インチ〜およそ１２インチの連続包囲バンドを含み、更に、上記連続包囲バンドに連結され、かつ上記連続包囲バンドの上側又は下側に略センタリングされた、ベースプレートを含む。上記ベースプレートは、上記連続包囲バンドの複数の部分を露出させるノッチを含む。
【００１０】
本発明の他の目的及び利点は、以下の詳細な説明を読み、また添付の図面を参照すれば明らかになるであろう。
【図面の簡単な説明】
【００１１】
【図１】図１は、基部に連結された煙検出器を有する煙警報器の一例の斜視図である。
【図２】図２は、図１に示す煙警報器の断面図である。
【図３】図３は、図２に示す煙検出器の底面斜視図である。
【図４】図４は、代替実施形態における、図２に示す煙検出器の底面斜視図である。
【図５】図５は、図４に示す遮光体の内部斜視図である。
【図６】図６は、図４に示す遮光体の外部斜視図である。
【図７】図７は、煙検出器の内部に配置された遮光体を有する、図１に示す煙警報器の断面図である。
【図８】図８は、煙検出器の内部に配置された異なる構成の遮光体を有する、図１に示す煙警報器の断面図である。
【発明を実施するための形態】
【００１２】
本発明は様々な改変及び代替形態を許容するものであるが、特定の実施形態を例として図示し、ここで詳細に説明する。しかしながら、図面及び図面に対する詳細な説明は、本明細書に開示した特定の形態に本発明を限定することを意図したものではなく、反対に、添付の請求項によって定義される本発明の精神及び範囲内にあるあらゆる改変、均等物及び代替形態を包含することを意図していることを理解されたい。
【００１３】
本明細書に記載の煙検出器及び煙警報器は、スポットタイプ光電式煙検出器の誤った始動を軽減するよう構成される。より具体的には、煙検出器及び煙警報器は、煙検出器／警報器の電気光学式光受信器に環境光が伝達されるのをブロックするよう構成された遮光体を備える。以下に説明される煙検出器及び煙警報器は、遮光体が煙検出器の外部ハウジングとは別個の構成部品である実施形態を対象としているが、本明細書に記載の煙検出器及び煙警報器は、必ずしもそのように限定されない。特に本明細書に記載の煙検出器又は煙警報器は、代替例として、遮光体を、煙検出器の外側ハウジングの一部として、場合によっては特に煙検出器の接続側に沿って及び／又は上記接続側から延在する側壁に沿って、含んでよい。
【００１４】
本明細書中で使用される場合、煙検出器の「接続側（ｃｏｎｎｅｃｔｉｏｎ  ｓｉｄｅ）」は、煙検出器の、ベース警報器への接続のため、又は複数の煙検出器に共通の警報システムに連結された電装箱への接続のために使用される側を指す。本明細書中で使用される場合、用語「環境光（ａｍｂｉｅｎｔ  ｌｉｇｈｔ）」は、煙検出器の外部の室内で生成される光を指す。環境光は、いずれのタイプの光（即ちいずれのスペクトルの光）であってよく、赤外光、紫外光及び可視光を含むがこれらに限定されない。煙検出器の環境において赤外光、紫外光及び／又は可視光の光源を構成し得るデバイス及びシステムの例としては、限定するものではないが、殺菌光消毒システム、手術室照明、光療法システム、電子デバイス用リモコンが挙げられる。本明細書中で使用される場合、用語「煙警報器（ｓｍｏｋｅ  ａｌａｒｍ）」は、少なくとも１つの煙感知デバイスを有し、少なくとも１つの可聴音響器を有し、少なくとも１つの電源を有するか又は電源への接続のために少なくとも構成されている、デバイス又はシステムを指す。逆に、本明細書中で使用される場合、用語「煙検出器（ｓｍｏｋｅ  ｄｅｔｅｃｔｏｒ）」は、煙感知デバイスを指す。煙検出器は可聴警報又は専用の電源を内包せず、従って環境中の煙の存在を検出して警報を発するためには、これらを備える別のデバイス又はシステムに連結する必要がある。なお、煙警報器のために使用される電源は、バッテリ及び／又は建造物の主電源であってよい。
【００１５】
場合によっては、煙検出器は、可聴音響器及び電源を含む基部に電気的に連結される。このような実施形態では、煙検出器及び基部は一体として、煙の存在を検出して警報を発するための、単一の自立型煙警報器となり得る。このような煙警報器の例を図１に示す。他の場合においては、煙警報器を、限定するものではないが火災制御警報パネル等の警報システムに連結してよく、上記警報システムは、複数の煙検出器に共通であってよい、並びに／又は可聴警報を発する以外の多様な追加の機能（視覚的警報の起動、スプリンクラーシステムの起動、及び／若しくは火災対応チームへの警告）を含んでよい。このような場合のうちの一部においては、煙検出器を、専用の可聴音響器及び電源を有するベース構成部品に独立して連結しなくてよい。しかしながら他の実施形態では、煙検出器を、可聴音響器及び／又は電源を有する基部と、複数の煙検出器に共通の及び／又は警報を発する以外の機能を含む警報システムとの両方に連結してよい。従って図１に示すデバイスは、複数の煙警報器に接続されたシステム及び／又は警報を発する以外の機能を含むシステム内に統合された、１つの煙警報器も表すことができる。いずれの場合においても、複数の煙検出器が接続された及び／又は警報を発する以外の機能を含むメインパネルに煙検出器が連結された実施形態では、この複数の構成部品の集合を一般に、煙警報システム又は火災警報システムと呼ぶことができる。
【００１６】
本明細書に記載の各煙検出器は、赤外光、紫外光及び／又は可視光を放出する光源を含む。更に、本明細書に記載の各煙検出器は、電気光学式光受信器を含む。本明細書中で使用される場合、用語「電気光学式光受信器（ｅｌｅｃｔｒｏ−ｏｐｔｉｃａｌ  ｌｉｇｈｔ  ｒｅｃｅｉｖｅｒ）」は、受信した光又は受信した光の変化を光電流に変換するデバイスを指す。煙検出器は更に、電気光学式光受信器から、煙検出器の外部ハウジングに沿って配置された電気コネクタへと、光電流をルーティングするための回路構成を含む。煙検出器の電気コネクタは、警報器の導電体と（警報器を内包するベースユニットを介して、又は警報器パネルに連結された電装箱を介して）接続されるよう構成され、警報器は、所定の大きさの光電流を受信した場合にその可聴音響器を始動させるよう構成される。例えば少量の光電流は、煙が検出されないことを示す１つ又は複数の電圧信号を警報器回路構成において誘発でき、設定量を超える光電流は、煙が検出されたことを示す１つ又は複数の電圧信号を誘発できる。
【００１７】
赤外光、紫外光及び／又は可視光を放出するよう構成されたいずれのタイプの光源を、本明細書に記載の煙検出器において使用してよい。使用できる光源の例としては、限定するものではないが、発光ダイオード（ＬＥＤ）、白熱電球、放電ランプが挙げられる。場合によっては、本明細書に記載の煙検出器のための光源は、赤外光、紫外光及び／又は可視光を含む特定の光範囲の光のみを放出するよう、特に構成してよい。いくつかの実施形態では、特定の光範囲は、単一の光スペクトル（即ち、赤外光、紫外光又は可視光）であってよく、また場合によっては、光の全スペクトル未満であってよい。場合によっては、光源は、ピークスペクトル放出を有する光を放出するよう構成してよい。例えば光源は、ピークスペクトル放出が約８８０ナノメートルの発光ダイオード（ＬＥＤ）であってよい。
【００１８】
他の実施形態では、複数のスペクトル及び／又は複数の光範囲の光を放出する光源を使用してよい。例えば赤外光、紫外光又は可視光の組み合わせを放出する光源を、本明細書に記載の煙検出器に含めてよい。更に、又はあるいは、他のスペクトルの（即ち赤外光、紫外光及び／又は可視光以外の）光を放出する光源を、本明細書に記載の煙検出器に使用してよい。なお、ある特定の光範囲若しくはスペクトル又は複数の光範囲若しくはスペクトルの光を放出する、この光源の構成は、使用されるランプ若しくはＬＥＤの特徴に関連してよく、並びに／又はランプ若しくはＬＥＤが生成する光をフィルタリングする及び／若しくは変化させるための光学素子に関連してよい。更に、光源がある特定の光範囲の光のみを放出するよう構成されているという言及は、上記光源が必ずその光範囲全体にわたる光を放出することを意味する必要はない。
【００１９】
一般に、いずれのタイプの電気光学式光受信器を、本明細書に記載の煙検出器に使用してよい。使用できる電気光学式光受信器の例としては、限定するものではないが、光電式デバイス、フォトダイオード、フォトトランジスタ、光電池デバイス、光伝導デバイスが挙げられる。なお、煙がその環境に存在するかどうかを検出するための、光源及び光感受性受信器を有する煙検出器は、煙検出器業界では一般に「光電式煙検出器（ｐｈｏｔｏｅｌｅｃｔｒｉｃ  ｓｍｏｋｅ  ｄｅｔｅｃｔｏｒ）」（即ち、内部にイオンの流れを生成してこれを監視することによって機能する「イオン化煙検出器（ｉｏｎｉｚａｔｉｏｎ  ｓｍｏｋｅ  ｄｅｔｅｃｔｏｒ）」とは対照的なもの）と呼ばれる。その結果として、光電効果とは異なる原理的動作を有するにもかかわらず、一般に光電式受信器と呼ばれることがある。例えば光電式煙検出器は、その光感受性光受信器として、フォトダイオード、フォトトランジスタ、光電池デバイス又は光伝導デバイスを含み得るものの、一般に光電式受信器と呼ばれる場合がある。従って、用語「光電式受信器（ｐｈｏｔｏｅｌｅｃｔｒｉｃ  ｒｅｃｅｉｖｅｒ）」及び「電気光学式光受信器」は、本明細書では相互交換可能なものとして使用され得る。
【００２０】
場合によっては、本明細書に記載の煙検出器の電気光学式光受信器は、ある特定の光範囲（即ち赤外光、紫外光又は可視光を含む特定の光範囲）のみを光電流に変換するよう構成してよい。いくつかの実施形態では、上記特定の光範囲は、単一の光スペクトル（即ち赤外光紫外光又は可視光）であってよく、また場合によっては、光の全スペクトル未満であってよい。しかしながら他の場合においては、本明細書に記載の煙検出器の電気光学式光受信器は、複数のスペクトル及び／又は複数の範囲の光を光電流に変換するよう構成してよい。更に他の実施形態では、電気光学式光受信器は、それが光電流に変換する光範囲に対して特定されたものでなくてもよい。換言すれば、場合によっては本明細書に記載の煙検出器の電気光学式光受信器は、受信した全ての光を変換するよう構成してよい。このような実施形態は、煙検出器の光源がある特定の光範囲の光を放出するよう構成される場合に特に適用可能である。
【００２１】
本明細書に記載の煙検出器は、光源及び電気光学式光受信器を有することに加えて、内部チャンバと、内部チャンバ、光源、電気光学式光受信器及び関連する回路構成を内包する外部ハウジングとを含む。外部ハウジングは、その側壁に沿って開口を含み、これらの開口は、内部チャンバへと延伸する煙検出器内の空気経路への入り口を提供する。内部チャンバは、煙検出器に導入された空気が、煙の存在の指標である粒子に関して分析される場所であるため、煙チャンバと呼ぶこともできる。場合によっては、光源及び／又は電気光学式光受信器は、内部チャンバ内に配置してよい。いくつかの実施形態では、光源及び／又は電気光学式光受信器は内部チャンバの外部に配設してよい。図２を参照して以下で詳述される例示的な煙検出器において、煙検出器の光源は煙チャンバ内に配置され、電気光学式光受信器はチャンバの外側に配置されるが、逆の構成も採用できる。更に他の実施形態では、光源及び電気光学式光受信器の両方を内部チャンバ内に配置してよく、又は光源及び電気光学式光受信器の両方を内部チャンバの外側に配置してよい。いずれの場合においても、光源及び光電式受信器を煙検出器内に配設して、光散乱原理又は光妨害原理に基づいて内部チャンバ内の煙の存在を検出できる。
【００２２】
場合によっては、内部チャンバは、ある特定の光範囲、特に光源がそれだけを放出するように構成され得る光範囲、及び／又は電気光学式光受信器がそれだけを光電流に変換するよう構成され得る光範囲内の光の大半を反射及び／又は吸収するよう構成された、外壁を含んでよい。このような特徴部分は有利なことに、煙検出器が配設される室内で生成された光が内部チャンバに入るのを阻害でき、これにより、煙を検出するための内部チャンバ内の光の量に対する環境光の影響を最小化できる。更にこのような特徴部分は、赤外光源を内部チャンバ内に配設する場合に有利となり得る。特に、赤外スペクトル又はその一部分の光の大半を反射及び／又は吸収するよう構成された外壁を有する内部チャンバは、煙検出器内の赤外光源から放出された光が、煙検出器が配設された室内における赤外線ベースの動作（例えば室内のテレビのリモコン）に干渉するのを防止できる。場合によっては、内部チャンバの内壁は、光源から放出された光を、電気光学式光受信器へと特異的に反射するよう構成してよい。例えば内部チャンバの内壁は、電気光学式光受信器へと光を反射する材料を含んでよく、及び／又は電気光学式光受信器へと光を反射するよう成形してよい。更に、又はあるいは、内部チャンバは、電気光学式光受信器への光反射を誘発するための光学素子を含んでよい。いずれの場合においても、反射した光は有利なことに、取り付けられた警報器へと送られる連続量の光電流を提供できる。いくつかの実施形態では、警報器の信頼できる動作を保証するために、連続した光電流を警報器回路構成に伝送することが有利となり得る。
【００２３】
上述のように、本明細書に記載の煙検出器の光源及び電気光学式光受信器は独立して、内部チャンバ内又は内部チャンバの外側に配置してよい。光源及び電気光学式光受信器のうちの少なくとも一方が内部チャンバの外側に配置される場合、内部チャンバは、外側にある構成部品へ、又は上記構成部品から、光を伝送できるよう構成しなければならない。一般に、内部チャンバの境界は、煙検出器の、（室内で動作するように設置する場合に）部屋の床に対面する側に沿って延在し、更に煙検出器の側壁に沿って延在する。内部チャンバのこれらの部分のうちの一方又は両方は一般に、煙検出器の外部ハウジングの煙流入口から内部チャンバへの空気及び煙の伝送のための開口を含む。内部チャンバは更に、煙検出器の接続側と概ね整列した壁によって境界を画定されるが、内部チャンバの上記壁と煙検出器の接続側との間には、プリント回路基板、光源及び／又は電気光学式光受信器を含むがこれらに限定されない、内部チャンバ内に配設されない構成部品を収容するための垂直間隙が存在する。光源及び電気光学式光受信器のうちの少なくとも一方が垂直間隙内に配置される実施形態では、垂直間隙に隣接する内部チャンバの壁は一般に、内部チャンバの外側に配置された光源若しくは電気光学式光受信器への、又は上記光源若しくは電気光学式光受信器からの光の伝送のための開口を含む。
【００２４】
垂直間隙は狭く、煙検出器ハウジングの接続側に近接しているが、煙検出器の外部ハウジングが、光源がそれだけを放出するように構成され得る光範囲、及び／又は電気光学式光受信器がそれだけを光電流に変換するよう構成され得る光範囲内の光を許容する場合に、室内の環境光が間隙内へと伝送されて、煙の誤検出を誘発する場合があることが、本明細書において開示される煙検出器の開発中に発見された。特に、煙検出器が、内部チャンバの外側の垂直間隙に配置された電気光学式光受信器を有する実施形態では、間隙内へと伝送された環境光を電気光学式光受信器が受信する場合があり、それによって受信される光が増大して、電気光学式光受信器が、煙の検出の指標である光電流を生成してしまう可能性がある。あるいは、光源が垂直間隙内に配設されるものの、電気光学式光受信器が内部チャンバ内に配設される実施形態では、チャンバと煙検出器ハウジングの接続側との間の狭い間隙内へと伝送された環境光は、光源から生成された光と共に、更に内部チャンバの内へと伝送される場合があり、これにより、電気光学式光受信器において光電流の変化が引き起こされ、これが誤った煙警報を誘発し得る。誤警報はまた、垂直間隙に隣接する内部チャンバの壁が開口を有する場合に、光源及び電気光学式光受信器の両方が煙検出器の内部チャンバ内に配置されると、誘発され得ると考えられる。いずれの場合においても、環境光の伝送は、煙検出器が、煙検出器が煙の存在の決定に使用する対象となる光をブロック及び／又は反射しない外部ハウジングを有する煙検出器基部に連結されている場合に、増大し得る。特に環境光は、基部の外部ハウジングを通り、煙検出器の接続側を通って、外部ハウジング内に配置された垂直間隙へと伝送され得ると考えられる。
【００２５】
誤警報を軽減するために、本明細書に記載の煙検出器は、環境光が、電気光学式光受信器が受信する光の量に影響を及ぼすのを防止するよう構成された、１つ又は複数の遮光体を含む。遮光体は、煙検出器の外部ハウジングの外部又は内部に配設してよい。場合によっては、遮光体は、内部チャンバの外側に配設された光源又は電気光学式光受信器を少なくとも部分的に取り囲む（即ち内部チャンバと外部ハウジングの接続側との間の垂直間隙内に配設された光源又は電気光学式光受信器を少なくとも部分的に取り囲む）ように配設してよい。他の実施形態では、光源も電気光学式光受信器も、垂直間隙内に配設しなくてよいが、それにもかかわらず煙検出器は、環境光が煙検出器の煙チャンバ内へと伝送されるのを防止するために、間隙の少なくとも一部分を取り囲む遮光体を含んでよい。いずれの場合においても、本明細書に記載の煙検出器に関して考えられる遮光体は、いくつかの実施形態では、内部チャンバと煙検出器の接続側との間の垂直間隙の大部分を取り囲んでよい。他の実施形態では、煙検出器は、垂直間隙のわずかな部分を取り囲む遮光体を有してよい。更に、又はあるいは、本明細書に記載の煙検出器は、外部ハウジングの接続側と整列するよう配設された遮光体を含んでよい。特にいくつかの実施形態では、遮光体は、この遮光体がハウジングの外部に配設される場合、外部ハウジングの接続側に少なくとも部分的に広がってよい。あるいは遮光体は、この遮光体がハウジングの内部に配設される場合、外部ハウジングの接続側と整列させてよい。
【００２６】
上記１つ又は複数の遮光体の配置にかかわらず、１つ又は複数の遮光体は、煙検出器の光源がそれだけを放出するように構成され得る特定の範囲、及び／又は煙検出器の電気光学式光受信器がそれだけを光電流に変換するよう構成され得る特定の光範囲内の光の大半を減衰させる材料を含む。電気光学式光受信器を環境赤外光からブロックすることが望ましい場合、１つ又は複数の遮光体のための例示的な材料としては、限定するものではないが、黒色ネオプレンゴム、ポリプロピレン、ポリフェニレンエーテル（限定するものではないが、修飾ポリフェニレンエーテル／オレフィン樹脂混合物（例えばＮｏｒｙｌ（商標）樹脂）等）、厚さ約０．１１８インチ超のポリ（メチルメタクリレート）（Ｐｌｅｘｉｇｌａｓ（商標）としても公知）、二軸配向ポリエチレンテレフタレート（Ｍｙｌａｒ（商標）としても公知）、及び様々な金属又は金属化材料（例えば金、アルミニウム等）が挙げられる。電気光学式光受信器を環境紫外光からブロックすることが望ましい場合、１つ又は複数の遮光体のための例示的な材料としては、限定するものではないが、ポリプロピレン、ポリ（メチルメタクリレート）（Ｐｌｅｘｉｇｌａｓ（商標）としても公知）、ポリテトラフルオロエチレン（ＰＴＦＥ（Ｔｅｆｌｏｎ（商標）としても公知）、二軸配向ポリエチレンテレフタレート（Ｍｙｌａｒ（商標）としても公知）、ポリカーボネート、木材、シリコーン、及び様々な金属又は金属化材料が挙げられる。更に、電気光学式光受信器を環境可視光からブロックすることが望ましい場合に、上に列挙した赤外又は紫外光を減衰させるための例示的な材料のいずれを、１つ又は複数の遮光体に使用してよいが、可視光を減衰させるための他の材料を使用してもよい。
【００２７】
図面に戻ると、図２は、図１の煙警報器１０の例示的な断面図を示しており、これは、煙検出器１２及びベース警報器１４の内部の例を示す。一般に、煙検出器１２とベース警報器１４との間の接続は、これらそれぞれのハウジング１６、１８間のインターロック連結１７を介したものであり、またこれらそれぞれの電気コネクタによるものである。図２に示すように、煙検出器１２は内部チャンバ２０を含み、内部チャンバ２０の境界は、穿孔された側壁２２、底部３０及びキャップ２４によって画定される。穿孔された側壁２２は、空気が内部チャンバ２０に出入りするように、並びにハウジング１２の側壁に沿った開口１５へ、及び開口１５から、流動することを可能とする。光源２６は内部チャンバ２０内に配置され、本明細書に記載の煙検出器のための上述の光源のうちのいずれを含んでよい。特に光源２６は、赤外光、紫外光及び／又は可視光を放出する光源であってよい。電気光学式光受信器２８は、内部チャンバ２０の下側、特に内部チャンバ２０の底部３０の下側に配置され、この底部３０は、光源２６から電気光学式光受信器２８への光の伝送のための穴を有する。図示されていないが、煙検出器１２は、電気光学式光受信器２８から、ハウジング１６の接続側３２に沿って配置された電気コネクタへと光電流をルーティングするための回路構成を含む。場合によっては、内部チャンバ２０の外側表面（即ち穿孔された側壁２２、キャップ２４及び／又は底部３０の外側表面）は、ある特定の光範囲、特に光源２６がそれだけを放出するように構成され得る特定の光範囲、及び／又は電気光学式光受信器２８がそれだけを光電流に変換するよう構成され得る光範囲内の光の大半を反射及び／又は吸収するよう構成された材料からなってよい。
【００２８】
必ずしもそのように限定されるものではないが、図２に示す例における光源２６及び電気光学式光受信器２８は、光散乱原理に基づく煙の検出のために配設される。より具体的には、電気光学式光受信器２８は、光源から放出された光の一次方向とは異なる、煙検出器の水平面に対する１つ又は複数の角度の光を受信するよう配設される。しかしながら他の実施形態では、本明細書において開示される煙検出器の光源及び電気光学式光受信器は、光妨害原理に基づいて煙の存在を検出するよう配設してよい。
【００２９】
本明細書において開示される煙検出器に関して上で概説したように、いくつかの実施形態では、光源２６は、赤外光、紫外光及び／又は可視光を含む特定の光範囲の光のみを放出するよう構成してよい。更に、又はあるいは、電気光学式光受信器２８は、ある特定の光範囲のみを光電流に変換するよう構成してよい。いずれの場合においても、（ハウジング１６及びハウジング１８は上記特定の光範囲の環境光に対して透過性の１つ又は複数の材料からなってよいため、ハウジング１６及びハウジング１８を通った）上記特定の光範囲の環境光に対して電気光学式光受信器２８が曝露されるのを防止するために、煙検出器１２は、ハウジング１６の接続側３２に取り付けられた遮光体３４を含む。遮光体３４は、上記特定の光範囲の光の大半を減衰させる材料からなる。例示的な材料は上述されており、簡潔にするために繰り返されない。
【００３０】
遮光体３４の例示的な構成を図３、４に示す。特に図３は、遮光体３４を、ハウジング１６の接続側全体にはめ込まれたネオプレンゴム等の柔軟な材料として示す。図示されているように、遮光体３４は、ハウジング１６の接続側のいたる所に、並びにハウジング１６の（図２に示す）隙間部分３６の中及びその周囲に、延在する。更に遮光体３４は孔を含み、電気コネクタ３８はこの孔を通って延在する。電気コネクタ３８は、煙検出器１２の接続側３２に取り付けられる。遮光体３４は図２において、ハウジング１６に沿って隙間部分３６の一部分までしか延在しないものとして図示されているが、代替例として遮光体３４は、隙間部分３６の端部まで延在してよい。いずれの場合においても、図２に示すように、隙間部分３６は、内部チャンバ２０の底部３０と外部ハウジング１６の接続側３２との間の間隙と整列させられる。従って遮光体３４を隙間部分３６に入れることによって、遮光体３４は、ハウジング１６の接続側３２に広がるのに加えて、ハウジング１６の外側に配置された電気光学式光受信器２８を取り囲む。更に遮光体３４を隙間部分３６に入れることによって、遮光体３４は、内部チャンバ２０の底部３０と外部ハウジング１６の接続側３２との間の空間の大部分を取り囲む。
【００３１】
遮光体３４の代替的な構成を図４に示す。特に図４は、ハウジング１６の接続側の大部分にわたって延在する剛性プレートを有する遮光体３４を示す。この剛性プレートのための例示的な材料は、ポリプロピレン等の熱可塑性ポリマーであってよいが、他の材料を用いてもよい。このような実施形態では、遮光体３４は、ハウジング１６の接続側の、電気コネクタ３８を備える部分を露出させる、ノッチ４０を含む。図３に示した柔軟なカバーと同様に、図４に示すカバープレートは、ハウジング１６の隙間部分３６内へと延伸する部分を含んでよい。特に、図５、６はそれぞれ、図４に示す遮光体３４の内部及び外部斜視図を示す。図示されているように、遮光体３４はノッチ４０を有するベースプレート４２と、ハウジング１６の隙間部分３６に嵌合するための更なる側壁４４とを含む。図３に示した柔軟なカバーと同様、側壁４４は、隙間部分３６内の一部又は全体に延在してよい。
【００３２】
一般に、図４の実施形態のための遮光体３４の側壁４４は、連続包囲バンドを構成する。場合によっては、この連続包囲バンドは図５、６に示すように円形であってよい。しかしながら他の形状も考えられる。例えば遮光体が使用される煙検出器の設計に応じて、側壁４４は正方形、長方形、三角形又は楕円形であってよい。更に連続包囲バンドのサイズは、遮光体が使用される煙検出器の設計に左右され得る。包囲バンドの例示的な直径の範囲は、およそ２インチ〜およそ１２インチ、より具体的にはおよそ３インチ〜およそ４インチであってよいが、直径がより小さい又は大きい包囲バンドも考えられる。
【００３３】
いずれの場合においても、図５、６に示すように、遮光体３４は、連続包囲バンドに連結され、かつ連続包囲バンドの上側又は下側に略センタリングされた、ベースプレート４２を含む。句「略センタリングされた」は一般に、ベースプレート４２の中点が、側壁４４がセンタリングされる長手方向軸からおよそ０．２５インチ以下だけ離れて配設されることを指す。いくつかの実施形態では、ベースプレート４２の周縁は、側壁４４の周縁を超えて延在できない。しかしながら他の場合においては、ベースプレート４２の周縁は側壁４４の周縁を超えて延在してよい。上述のように、ベースプレート４２は、ベースプレートの、側壁４４を構成する連続包囲バンドに連結される複数の部分の間に、ノッチ４０を含む。図５、６に示すように、ベースプレート４２はいくつかの場合において、このようなノッチを３個有してよい。しかしながらベースプレートは、より少ない又はより多くのノッチを含んでもよい。いくつかの実施形態では、ノッチ４０は、図３、６に示すようにノッチの複数の部分が互いに対しておよそ９０°離間するように、配設してよい。特に図３、６は、接続側３２にわたる電気コネクタ３８の配置に一致するよう、およそ９０°離間している、ノッチ４０の電気コネクタ３８を収容する部分を示す。場合によっては、ベースプレート４２のノッチ４０は、図３、６に示すように、ノッチの縁部がおよそ４５°離間するようにサイズ設定してよい。しかしながら、他の度数の間隔も考えられる。いずれの場合においても、ノッチは、ベースプレート４２が、側壁４４で境界を画定された領域の大部分、場合によってはおよそ９０％を覆うために十分なサイズのものとなるよう、側壁４４から内側におよそ１．０インチ未満だけ延在してよい。更にノッチ４０の形状は、図３、５、６に示されている形状とは異なってよい。
【００３４】
なお、図３、４に示す構成のいずれかに対する代替例としてのいくつかの実施形態では、遮光体３４は、接続側３２に広がる部分を含まなくてよく、又は隙間部分３６内の部分を含まなくてよい。よって、本明細書に記載の煙検出器に関して考えられる外部遮光体の構成は、図３、４に示されている実施形態に必ずしも限定されない。更に図３〜６に示す遮光体は単一複合体の遮光体であるが、遮光体は代替例として、複数の部品で構成されていてもよい。これら複数の部品は接続されていてもいなくてもよく、また互いから離間していてもいなくてもよい。このような場合のいずれにおいて、上記複数の部品はそれぞれ別個の遮光体と呼ぶことができ、従って本明細書に記載の煙検出器は、電気光学式光受信器が特定の光範囲の環境光に曝露されるのを防止するための複数の遮光体を含み得る。
【００３５】
上述のように、本明細書において考えられる遮光体は、いくつかの実施形態では煙検出器の内部に配設してよい。電気光学式光受信器が特定の光範囲の環境光（特に光源がそれだけを放出するように構成され得る特定の範囲、及び／又は電気光学式光受信器がそれだけを光電流に変換するよう構成され得る特定の光範囲内の光）に曝露されるのを防止するための内部遮光体を有する煙検出器の例を、図７、８に示す。特に図７、８は、図２に示すようにハウジング１６の外側に配設された遮光体を有する代わりに、外部ハウジング１６の接続側３２と内部チャンバ２０の底部３０との間の空間に配設された遮光体を有する、図１の煙警報器１０の断面図を示す。図７、８に図示された、図２を参照して説明されたものと同一の構成を有する特徴部分は、同一の参照番号を用いて指示されており（例えば内部チャンバ２０、接続側３２、隙間部分３６等）、これらの特徴部分の説明は、簡潔にするために繰り返されない。
【００３６】
図７に示すように、いくつかの実施形態では、煙警報器１０は、ハウジング１６の接続側３２の内側に取り付けられた遮光体５４を含んでよく、また更に、接続側３２と内部チャンバ２０の底部３０との間の間隙内においてハウジング１６の内部側壁に沿って延在してよい。代替例では、遮光体５４は、接続側３２の内側から離間してよく、及び／又は接続側３２から延在するハウジング１６の側壁から離間してよい。いずれの場合においても、遮光体５４の、ハウジング１６の側壁と整列した部分は、部分的に、又は内部チャンバ２０の底部３０まで完全に、延在してよい。いずれの構成においても、遮光体５４の、ハウジング１６の側壁と整列した部分は、ハウジング１６の外部に配置された電気光学式光受信器２８を取り囲む役割を果たす。更に遮光体５４の、ハウジング１６の側壁と整列した部分は、内部チャンバ２０の底部３０と外部ハウジング１６の接続側３２との間の空間の大部分を取り囲む役割を果たす。更なる代替実施形態では、遮光体５４は、ハウジング１６の側壁と整列した部分を含まなくてよく、又は接続側３２の内側に少なくとも部分的に広がる部分を含まなくてよい。
【００３７】
いずれの場合においても、遮光体５４は遮光体３４と同様に、光源２６がそれだけを放出するように構成され得る特定の範囲、及び／又は電気光学式光受信器２８がそれだけを光電流に変換するよう構成され得る特定の光範囲内の光の大半を減衰させる材料からなる。例示的な材料は上述されており、簡潔にするために繰り返されない。更に、遮光体５４が接続側３２の内側に少なくとも部分的に広がる実施形態では、遮光体５４は孔を含んでよく、電気コネクタ及び／又は回路構成はこの孔を通って、接続側３２の外側に配置された電気コネクタへと延伸してよい。更に遮光体５４は、単一複合体の構成部品であってよく、又は複数の構成部品を含んでよい。
【００３８】
図８に移ると、電気光学式光受信器２８だけを取り囲む遮光体６４を有する、図１の煙警報器１０の代替構成が示されている。なお、電気光学式光受信器２８は図８では、受信器を取り囲む遮光体を強調するために、遮光体６４の背後に示されているが、このような図示は、遮光体が可視光に対して透過性であることを必ずしも示すものではない。光源２６が内部チャンバ２０の外側に配置され、電気光学式光受信器２８が内部チャンバ２０の内側に配置される代替実施形態では、遮光体６４は光源２６を取り囲んでよい。いずれの場合においても、遮光体６４、特に電気光学式光受信器２８（又は光源２６）を超える高さまで延在する部分は、環境光が受信器にアクセスするのをブロックするために十分なものであってよい。いくつかの実施形態では、このような機能性を提供するために、遮光体６４は、内部チャンバ２０の底部３０の１つ又は複数の開口まで延伸してよく、これにより遮光体６４は、電気光学式光受信器２８への光トンネルを提供できる。このような場合のうちのいくつかにおいて、遮光体６４の上側表面は、内部チャンバ２０の底部３０と接触してよい。他の実施形態では、遮光体６４の上側表面は、底部３０の下方に数ｍｍ未満だけ離間していてよい。更に他の実施形態では、遮光体６４の上側表面は、底部３０の開口を通って内部チャンバ２０まで延在してよい。遮光体６４の高さにかかわらず、遮光体６４の幅は、煙検出器の設計仕様、特に内部チャンバ２０の底部３０と外部ハウジング１６の接続側３２との間の空間内の構成部品の配置に応じて、変動し得る。しかしながら一般に、遮光体６４は、内部チャンバ２０の底部３０と外部ハウジング１６の接続側３２との間の空間のわずかな部分を取り囲む役割を果たすことができる。
【００３９】
いずれの場合においても、遮光体６４は遮光体３４、５４と同様に、光源２６がそれだけを放出するように構成され得る特定の範囲、及び／又は電気光学式光受信器２８がそれだけを光電流に変換するよう構成され得る特定の光範囲内の光の大半を減衰させる材料からなる。例示的な材料は上述されており、簡潔にするために繰り返されない。更に遮光体６４は、単一複合体の構成部品であってよく、又は複数の構成部品を含んでよい。
【００４０】
なお、本明細書に記載の煙検出器、煙警報器（単一スタンドアロン型煙警報器及び煙警報システムを含む）並びに遮光体は、図面に限定されないものとする。特に、図１〜８に示されている煙検出器、煙警報器及び遮光体のうちのいずれは、図示されていない追加の構成部品を含んでよい。更に、図１〜８に示されている煙検出器、煙警報器及び遮光体のうちのいずれは、図１〜８を参照して説明したものと同一の目的を達成する、これらの図面に示されていない部品の再配置を含んでよい。更に、図１〜８に示されているデバイスの構成部品のサイズ及び形状、並びに煙検出器、煙警報器及び遮光体自体のサイズ及び形状は、例示的なものである。
【００４１】
本開示の便益を享受する当業者には、本発明が、煙検出器の電気光学式光受信器への環境光の伝送をブロック又は最小化するよう構成された１つ又は複数の遮光体を有する、煙検出器、及び上記煙検出器と、上述のような機能を促進するための遮光体とを備える煙警報器を提供すると考えられることが理解されるだろう。本発明の様々な態様の更なる修正及び代替実施形態は、当業者には本明細書に鑑みて明らかであろう。例えば、本明細書において開示される遮光体の材料は、代替例として、煙検出器の外部ハウジング内に、特に外部ハウジングの接続側及び／又は上記接続側から延在する上記外部ハウジングの側壁に沿って組み込んでよい。従って、この説明は説明のみを目的としたものと解釈されるべきであり、本発明を実施する一般的な方法を当業者に教示する目的のものである。本明細書に示し説明した本発明の形態は、現時点で好ましい実施形態として解釈されるべきものであると理解されたい。本明細書で図示及び説明した要素及び材料を置換してよく、また部品及びプロセスを逆転させてよく、本発明の特定の特徴を独立して利用してよく、これら全ては、本発明の以上の説明の便益を享受した後であれば、当業者には明らかであろう。以下の請求項に記載した本発明の精神及び範囲から逸脱することなく、本明細書で説明した要素に変更を加えてよい。本明細書において使用される場合、用語「およそ（ａｐｐｒｏｘｉｍａｔｅｌｙ）」は、言明されている数の最大±５％の変動を指す。
【図１】
2019508823.tif 000003
【図２】
2019508823.tif 000004
【図３】
2019508823.tif 000005
【図４】
2019508823.tif 000006
【図５】
2019508823.tif 000007
【図６】
2019508823.tif 000008
【図７】
2019508823.tif 000009
【図８】
2019508823.tif 000010
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
煙検出器であって、
前記煙検出器は：
内部チャンバ；
前記煙検出器内に配設された、前記内部チャンバ内へと光を放出するための光源；
前記煙検出器内に配設された、前記光源からの直接及び／又は間接光を受信するための電気光学式光受信器であって、前記光源及び前記電気光学式光受信器のうちの少なくとも一方は、前記内部チャンバの外部に配設され、前記電気光学式光受信器は、ある特定の光範囲のみを光電流に変換するよう構成され、並びに／又は前記光源は、前記特定の光範囲の光のみを放出するよう構成される、電気光学式光受信器；
前記内部チャンバ、前記光源及び前記電気光学式光受信器を内包する外部ハウジング；
前記電気光学式光受信器と電気的に連通した電気コネクタであって、前記電気コネクタは、前記外部ハウジングを越えて延在する、電気コネクタ；並びに
前記外部ハウジングの外部に配設された遮光体であって、前記遮光体は、前記煙検出器内の、前記内部チャンバと前記外部ハウジングの接続側との間の空間を取り囲み、前記遮光体は更に、前記外部ハウジングの前記接続側の少なくとも一部分に広がり、前記遮光体は開口を備え、前記電気コネクタは前記開口を通って延在し、前記遮光体は、前記内部チャンバの外部に配設された前記光源又は前記電気光学式光受信器を少なくとも部分的に取り囲み、また前記遮光体は、前記特定の光範囲内の光の大半を減衰させる材料を含む、遮光体
を備える、煙検出器。
【請求項２】
前記遮光体は、前記外部ハウジングの前記接続側の大部分に広がる、請求項１に記載の煙検出器。
【請求項３】
前記遮光体は、前記外部ハウジングの前記接続側の周縁部とベースプレートとの間の溝内に配設される、請求項１に記載の煙検出器。
【請求項４】
前記光源は赤外光を放出するよう構成され、
特定のスペクトルは、およそ７００ｎｍ〜およそ１ｍｍの光スペクトルの少なくとも一部分を含む、請求項１に記載の煙検出器。
【請求項５】
前記光源は紫外光を放出するよう構成され、
前記特定のスペクトルは、およそ１０ｎｍ〜およそ４００ｎｍの光スペクトルの少なくとも一部分を含む、請求項１に記載の煙検出器。
【請求項６】
前記光源は可視光を放出するよう構成され、
前記特定のスペクトルは、およそ３９０ｎｍ〜およそ７００ｎｍの光スペクトルの少なくとも一部分を含む、請求項１に記載の煙検出器。
【請求項７】
前記外部ハウジングは、前記特定の光範囲の光の大半を通過させる材料を含む、請求項１に記載の煙検出器。
【請求項８】
前記内部チャンバは、前記特定の光範囲内の光の大半を反射及び／又は吸収するよう構成された外壁を備える、請求項１に記載の煙検出器。
【請求項９】
前記光源は前記内部チャンバ内に配置され、
前記電気光学式光受信器は前記内部チャンバの外側に配置される、請求項１に記載の煙検出器。
【請求項１０】
前記遮光体はポリプロピレンを含む、請求項１に記載の煙検出器。
【請求項１１】
前記遮光体はポリフェニレンエーテルを含む、請求項１に記載の煙検出器。
【請求項１２】
前記遮光体は黒色ネオプレンゴムを含む、請求項１に記載の煙検出器。
【請求項１３】
煙警報器であって、
前記煙警報器は：
請求項１〜１２のいずれか１項に記載の煙検出器；及び
前記煙検出器の接続側に連結された基部であって、前記煙検出器の前記接続側は、電気コネクタを備える外部ハウジングの外側表面を含み、また前記基部は、可聴警報器と、前記電気コネクタと電気的に連通する電源とを備える、基部
を備える、煙警報器。
【請求項１４】
煙警報システムであって、
前記煙警報システムは：
警報システム；及び
前記警報システムに連結された複数の煙検出器
を備え、
前記複数の煙検出器のうちの少なくとも１つは、請求項１〜１２に記載の煙検出器のうちの１つである、煙警報システム。
【請求項１５】
前記遮光体は：
直径およそ２インチ〜およそ１２インチの連続包囲バンド；及び
前記連続包囲バンドに連結され、かつ前記連続包囲バンドの上側又は下側に略センタリ
グされたベースプレートとを備え、
前記ベースプレートは、前記連続包囲バンドの複数の部分を露出させるノッチを含む、請求項１〜１２のいずれか１項に記載の煙検出器。
【請求項１６】
前記連続包囲バンドは円形である、請求項１５に記載の煙検出器。
【請求項１７】
前記連続包囲バンドは正方形、長方形、三角形又は楕円形である、請求項１５に記載の煙検出器。
【請求項１８】
前記ベースプレートは、互いから９０°離間している前記連続包囲バンドの複数の部分を露出させるよう配設された、３つのノッチを備える、請求項１５に記載の煙検出器。
【請求項１９】
前記ノッチは、前記ベースプレートの周縁部から内向きにおよそ１．０インチ未満だけ延在する、請求項１５に記載の煙検出器。
【請求項２０】
前記ベースプレートは、前記連続包囲バンドによって境界を画定された領域の少なくとも９０％を被覆する、請求項１５に記載の煙検出器。
【請求項２１】
前記遮光体は：
直径およそ２インチ〜およそ１２インチの連続包囲バンド；及び
前記連続包囲バンドに連結され、かつ前記連続包囲バンドの上側又は下側に略センタリングされた、ベースプレート
を備え、
前記ベースプレートは、前記ベースプレートの周縁部からおよそ１．０インチ未満だけ内側に配置された３つのノッチを備え、
前記３つのノッチは：
前記ノッチのうち、第１のノッチと第２のノッチとは、前記連続包囲バンドの周縁に対して、互いからおよそ１８０°離間し；
前記ノッチのうち第３のノッチは、前記連続包囲バンドの周縁に対して、前記第１のノッチ及び前記第２のノッチからおよそ９０°離間する
ように配設される、請求項１〜１２のいずれか１項に記載の煙検出器。
【請求項２２】
前記連続包囲バンドは円形である、請求項２１に記載の煙検出器。
【請求項２３】
前記連続包囲バンドは、正方形、長方形、三角形又は楕円形である、請求項２１に記載の煙検出器。
【請求項２４】
前記ベースプレートは、前記連続包囲バンドによって境界を画定される領域の９０％以上を被覆する、請求項２１に記載の煙検出器。
【請求項２５】
煙検出器ハウジングの外部表面に沿って取り付け、煙検出器によって誤った始動を軽減する煙検出器遮光体であり、前記煙検出器遮光体は、
直径およそ２インチ〜およそ１２インチの連続包囲バンド；及び
前記連続包囲バンドに連結され、かつ前記連続包囲バンドの上側又は下側に略センタリングされたベースプレートとを備え、
前記ベースプレートは、前記連続包囲バンドの複数の部分を露出させるノッチを含む、煙検出器遮光体。
【請求項２６】
前記連続包囲バンドは円形である、請求項２５に記載の煙検出器遮光体。
【請求項２７】
前記連続包囲バンドは正方形、長方形、三角形又は楕円形である、請求項２５に記載の煙検出器遮光体。
【請求項２８】
前記ベースプレートは、互いから９０°離間している前記連続包囲バンドの複数の部分を露出させるよう配設された、３つのノッチを備える、請求項２５に記載の煙検出器遮光体。
【請求項２９】
前記ノッチは、前記ベースプレートの周縁部から内向きにおよそ１．０インチ未満だけ延在する、請求項２５に記載の煙検出器遮光体。
【請求項３０】
前記ベースプレートは、前記連続包囲バンドによって境界を画定された領域の９０％を被覆する、請求項２５に記載の煙検出器遮光体。
【請求項３１】
煙検出器ハウジングの外部表面に沿って取り付け、煙検出器によって誤った始動を軽減する煙検出器遮光体であり、前記煙検出器遮光体は、
直径およそ２インチ〜およそ１２インチの連続包囲バンド；及び
前記連続包囲バンドに連結され、かつ前記連続包囲バンドの上側又は下側に略センタリングされた、ベースプレートを備え、
前記ベースプレートは、前記ベースプレートの周縁部からおよそ１．０インチ未満だけ内側に配置された３つのノッチを備え、
前記３つのノッチは：
前記ノッチのうち、第１のノッチと第２のノッチとは、前記連続包囲バンドの周縁に対して、互いからおよそ１８０°離間し；
前記ノッチのうち第３のノッチは、前記連続包囲バンドの周縁に対して、前記第１のノッチ及び前記第２のノッチからおよそ９０°離間する
ように配設される、煙検出器遮光体。
【請求項３２】
前記連続包囲バンドは円形である、請求項３１に記載の煙検出器遮光体。
【請求項３３】
前記連続包囲バンドは正方形、長方形、三角形又は楕円形である、請求項３１に記載の煙検出器遮光体。
【請求項３４】
前記ベースプレートは、前記連続包囲バンドによって境界を画定された領域の９０％かそれ以上を被覆する、請求項３１に記載の煙検出器遮光体。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
煙検出器であって、
前記煙検出器は：
内部チャンバ；
前記煙検出器内に配設された、前記内部チャンバ内へと光を放出するための光源；
前記煙検出器内に配設された、前記光源からの直接及び／又は間接光を受信するための電気光学式光受信器であって、前記光源及び前記電気光学式光受信器のうちの少なくとも一方は、前記内部チャンバの外部に配設され、前記電気光学式光受信器は、ある特定の光範囲のみを光電流に変換するよう構成され、並びに／又は前記光源は、前記特定の光範囲の光のみを放出するよう構成される、電気光学式光受信器；
前記内部チャンバ、前記光源及び前記電気光学式光受信器を内包する外部ハウジング；
前記電気光学式光受信器と電気的に連通した電気コネクタであって、前記電気コネクタは、前記外部ハウジングを越えて延在する、電気コネクタ；並びに
前記外部ハウジングの外部に配設された遮光体であって、前記遮光体は、前記煙検出器内の、前記内部チャンバと前記外部ハウジングの接続側との間の空間を取り囲み、前記遮光体は更に、前記外部ハウジングの前記接続側の少なくとも一部分に広がり、前記遮光体は開口を備え、前記電気コネクタは前記開口を通って延在し、前記遮光体は、前記内部チャンバの外部に配設された前記光源又は前記電気光学式光受信器を少なくとも部分的に取り囲み、また前記遮光体は、前記特定の光範囲内の光の大半を減衰させる材料を含む、遮光体
を備える、煙検出器。
【請求項２】
前記遮光体は、前記外部ハウジングの前記接続側の大部分に広がる、請求項１に記載の煙検出器。
【請求項３】
前記遮光体は、前記外部ハウジングの前記接続側の周縁部とベースプレートとの間の溝内に配設される、請求項１に記載の煙検出器。
【請求項４】
前記光源は赤外光を放出するよう構成され、
特定のスペクトルは、およそ７００ｎｍ〜およそ１ｍｍの光スペクトルの少なくとも一部分を含む、請求項１に記載の煙検出器。
【請求項５】
前記光源は紫外光を放出するよう構成され、
前記特定のスペクトルは、およそ１０ｎｍ〜およそ４００ｎｍの光スペクトルの少なくとも一部分を含む、請求項１に記載の煙検出器。
【請求項６】
前記光源は可視光を放出するよう構成され、
前記特定のスペクトルは、およそ３９０ｎｍ〜およそ７００ｎｍの光スペクトルの少なくとも一部分を含む、請求項１に記載の煙検出器。
【請求項７】
前記外部ハウジングは、前記特定の光範囲の光の大半を通過させる材料を含む、請求項１に記載の煙検出器。
【請求項８】
前記内部チャンバは、前記特定の光範囲内の光の大半を反射及び／又は吸収するよう構成された外壁を備える、請求項１に記載の煙検出器。
【請求項９】
前記光源は前記内部チャンバ内に配置され、
前記電気光学式光受信器は前記内部チャンバの外側に配置される、請求項１に記載の煙検出器。
【請求項１０】
前記遮光体はポリプロピレンを含む、請求項１に記載の煙検出器。
【請求項１１】
前記遮光体はポリフェニレンエーテルを含む、請求項１に記載の煙検出器。
【請求項１２】
前記遮光体は黒色ネオプレンゴムを含む、請求項１に記載の煙検出器。
【請求項１３】
煙警報器であって、
前記煙警報器は：
請求項１〜１２のいずれか１項に記載の煙検出器；及び
前記煙検出器の接続側に連結された基部であって、前記煙検出器の前記接続側は、電気コネクタを備える外部ハウジングの外側表面を含み、また前記基部は、可聴警報器と、前記電気コネクタと電気的に連通する電源とを備える、基部
を備える、煙警報器。
【請求項１４】
煙警報システムであって、
前記煙警報システムは：
警報システム；及び
前記警報システムに連結された複数の煙検出器
を備え、
前記複数の煙検出器のうちの少なくとも１つは、請求項１〜１２に記載の煙検出器のうちの１つである、煙警報システム。
【請求項１５】
前記遮光体は：
直径およそ２インチ〜およそ１２インチの連続包囲バンド；及び
前記連続包囲バンドに連結され、かつ前記連続包囲バンドの上側又は下側に略センタリ
グされたベースプレートとを備え、
前記ベースプレートは、前記連続包囲バンドの複数の部分を露出させるノッチを含む、請求項１〜１２のいずれか１項に記載の煙検出器。
【請求項１６】
前記連続包囲バンドは円形である、請求項１５に記載の煙検出器。
【請求項１７】
前記連続包囲バンドは正方形、長方形、三角形又は楕円形である、請求項１５に記載の煙検出器。
【請求項１８】
前記ベースプレートは、互いから９０°離間している前記連続包囲バンドの複数の部分を露出させるよう配設された、３つのノッチを備える、請求項１５に記載の煙検出器。
【請求項１９】
前記ノッチは、前記ベースプレートの周縁部から内向きにおよそ１．０インチ未満だけ延在する、請求項１５に記載の煙検出器。
【請求項２０】
前記ベースプレートは、前記連続包囲バンドによって境界を画定された領域の少なくとも９０％を被覆する、請求項１５に記載の煙検出器。
【請求項２１】
前記遮光体は：
直径およそ２インチ〜およそ１２インチの連続包囲バンド；及び
前記連続包囲バンドに連結され、かつ前記連続包囲バンドの上側又は下側に略センタリングされた、ベースプレート
を備え、
前記ベースプレートは、前記ベースプレートの周縁部からおよそ１．０インチ未満だけ内側に配置された３つのノッチを備え、
前記３つのノッチは：
前記ノッチのうち、第１のノッチと第２のノッチとは、前記連続包囲バンドの周縁に対して、互いからおよそ１８０°離間し；
前記ノッチのうち第３のノッチは、前記連続包囲バンドの周縁に対して、前記第１のノッチ及び前記第２のノッチからおよそ９０°離間する
ように配設される、請求項１〜１２のいずれか１項に記載の煙検出器。
【請求項２２】
前記連続包囲バンドは円形である、請求項２１に記載の煙検出器。
【請求項２３】
前記連続包囲バンドは、正方形、長方形、三角形又は楕円形である、請求項２１に記載の煙検出器。
【請求項２４】
前記ベースプレートは、前記連続包囲バンドによって境界を画定される領域の９０％以上を被覆する、請求項２１に記載の煙検出器。
【国際調査報告】
2019508823.tif 000011
2019508823.tif 000012
2019508823.tif 000013